(57)【要約】【課題】  ロータとインペラとがロータの回転軸方向に並んで配置される電動ポンプにおいて、ケーシング内の流体の圧力差によって、ロータとインペラとが変位することを低減するための電動ポンプを提供する。【解決手段】  電動ポンプ１０は、ロータ４２の外周側に配置されるステータ４４を備える。ステータ４４とロータ４２とは、電動ポンプ１０の作動時における流体経路２４内の流体の圧力が低い低圧側と流体の圧力が高い高圧側との圧力差によって生じる回転体６０の変位を低減するための力を、電動ポンプ１０の作動時に、回転体６０に常時負荷する。【選択図】  図１
2013247692.tif 000002
【特許請求の範囲】
【請求項１】
ロータと、ロータの回転軸方向にロータに並んで配置されるインペラとを備える回転体と、
ロータの外周側に配置されるステータと、
インペラの外周に沿って形成されている流体経路を有すると共に、回転体とステータとを収容するケーシングと、
を備える電動ポンプであって、
電動ポンプの作動時における流体経路内の流体の圧力が低い低圧側と流体の圧力が高い高圧側との圧力差によって生じる回転体の変位を低減するための力を、電動ポンプの作動時に、回転体に常時負荷する負荷部を備える電動ポンプ。
【請求項２】
負荷部は、ロータのインペラ側の端部に負荷される磁力の合力が、低圧側から高圧側に向かう第１の構成と、ロータのインペラと反対側の端部に負荷される磁力の合力が、高圧側から低圧側に向かう第２の構成とのうちの少なくとも一方の構成を備える、請求項１に記載の電動ポンプ。
【請求項３】
負荷部は、ステータとロータとを含み、
第１の構成は、高圧側におけるロータのインペラ側の端部に沿って伸びるステータの面積が、低圧側におけるロータのインペラ側の端部に沿って伸びるステータの面積よりも大きい構成を含み、
第２の構成は、低圧側におけるロータのインペラと反対側の端部に沿って伸びるステータの面積が、高圧側におけるロータのインペラと反対側の端部に沿って伸びるステータの面積よりも大きい構成を含む、請求項２に記載の電動ポンプ。
【請求項４】
第１の構成は、ステータの高圧側に位置する高圧側ステータ部分のインペラ側の端部が、ステータの低圧側に位置する低圧側ステータ部分のインペラ側の端部よりも、回転軸方向に沿って、インペラ側に伸びている構成を含み、
第２の構成は、低圧側ステータ部分のインペラと反対側の端部が、高圧側ステータ部分のインペラと反対側の端部よりも、回転軸方向に沿って、インペラと反対側に伸びている構成を含む、請求項３に記載の電動ポンプ。
【請求項５】
第１の構成は、ロータのインペラ側の端部において、回転軸に直交する断面を見たときに、ロータの外周面に沿って伸びる高圧側ステータ部分の長さが、ロータの外周面に沿って伸びる低圧側ステータ部分の長さよりも長い構成を含み、
第２の構成は、ロータのインペラの反対側の端部の回転軸に直交する断面で見たときに、ロータの外周面に沿って伸びる低圧側ステータ部分の長さが、ロータの外周面に沿って伸びる高圧側ステータ部分の長さよりも長い構成を含む、請求項３又は４に記載の電動ポンプ。
【請求項６】
負荷部は、ステータとロータとを含み、
第１の構成は、ロータのインペラ側の端部において、ステータの高圧側に位置する高圧側ステータ部分とロータとの平均の隙間の大きさが、ステータの低圧側に位置する低圧側ステータ部分とロータとの平均の隙間の大きさよりも小さい構成を含み、
第２の構成は、ロータのインペラと反対側の端部において、低圧側ステータ部分とロータとの平均の隙間の大きさが、高圧側ステータ部分とロータとの平均の隙間の大きさよりも小さい構成を含む、請求項２から５のいずれか一項に記載の電動ポンプ。
【請求項７】
負荷部は、回転体に取り付けられ、回転体の周方向に一巡する第１の磁性体と、ケーシングのうち、第１の磁性体に対向する領域に取り付けられる第２の磁性体と、を含み、
第２の磁性体は、高圧側に配置されており、第１の磁性体との間で、第１の磁性体を第２の磁性体側に引き寄せる方向の磁力を発生させる磁性体と、低圧側に配置されており、第１の磁性体との間で、第１の磁性体を第２の磁性体と反対側に押圧する方向の磁力を発生させる磁性体との少なくとも一方の磁性体を備える、請求項１から６のいずれか一項に記載の電動ポンプ。
【請求項８】
第１の磁性体は、インペラに取り付けられている、請求項７に記載の電動ポンプ。
【請求項９】
第１の磁性体は、ロータのインペラと反対側の端面に取り付けられている、請求項７又は８に記載の電動ポンプ。
【請求項１０】
負荷部は、ステータを覆うと共に、ロータの周囲を囲む周壁を含み、
流体経路は、ロータと周壁との隙間と連通しており、
負荷部は、
ロータのインペラ側の端部において、低圧側のロータと周壁との隙間が、高圧側のロータと周壁との隙間より大きい構成と、
ロータのインペラと反対側の端部において、高圧側のロータと周壁との隙間が、低圧側のロータと周壁との隙間より大きい構成と、
の少なくとも一方の構成を備える、請求項１から９のいずれか一項に記載の電動ポンプ。
【請求項１１】
負荷部は、ロータのインペラと反対側の端面に対向する対向壁を含み、
流体経路は、ロータと対向壁との隙間と連通しており、
負荷部は、低圧側のロータのインペラと反対側の端面と対向壁との隙間は、高圧側のロータのインペラと反対側の端面と対向壁との隙間よりも大きい構成を備える、請求項１から１０のいずれか一項に記載の電動ポンプ。
【発明の詳細な説明】
【技術分野】
【０００１】
本明細書は、電動ポンプに関する。特に、ロータとインペラとがロータの回転軸方向に並んで配置される電動ポンプのための技術を開示する。
【背景技術】
【０００２】
特許文献１には、ステータの外側に、マグネットロータと一体的に構成された羽根車が配置されているＤＣポンプが開示されている。羽根車は、マグネットロータの外周の外側に配置されている。ＤＣポンプは、羽根車の回転によって、流体をＤＣポンプのケーシング内に吸入して昇圧した後に、ケーシング外に吐出する。ＤＣポンプは、マグネットロータの内側と外側とに配置される磁性体をさらに備える。磁性体は、ケーシング内の流体の圧力差によって羽根車に負荷される力に釣り合う磁力を、羽根車に負荷する。この結果、羽根車がケーシングに接触することが抑制される。
【先行技術文献】
【特許文献】
【０００３】
【特許文献１】特開２００４−１７６５５２号公報
【発明の概要】
【発明が解決しようとする課題】
【０００４】
特許文献１では、ロータとインペラ（特許文献１では羽根車）とが、ロータの回転軸方向に並んで配置される構成を有する電動ポンプについては、考慮されていない。本明細書では、ロータとインペラとがロータの回転軸方向に並んで配置される電動ポンプにおいて、ケーシング内の流体の圧力差によって、ロータとインペラとが変位することを低減するための電動ポンプを提供する。
【課題を解決するための手段】
【０００５】
本明細書では、回転体とステータとケーシングとを備える電動ポンプを開示する。回転体は、ロータと、ロータの回転軸方向にロータに並んで配置されるインペラとを備える。ステータは、ロータの外周側に配置される。ケーシングは、インペラの外周に沿って形成されている流体経路を有すると共に、回転体とステータとを収容する。電動ポンプは、負荷部を備える。負荷部は、電動ポンプの作動時における流体経路内の流体の圧力が低い低圧側と流体の圧力が高い高圧側との圧力差によって生じる回転体の変位を低減するための力を、電動ポンプの作動時に、回転体に常時負荷する。
【０００６】
電動ポンプでは、インペラが回転すると、流体は、ケーシング内に吸入され、流体経路内を流れる。流体経路内の流体は、インペラの回転によって昇圧され、流体経路外に吐出される。流体は、流体経路を流れている間に昇圧される。このため、流体経路内では、下流側の流体の圧力は、上流側の流体の圧力よりも高くなる。従って、電動ポンプの作動時には、流体経路内に、流体の圧力差が生じる。流体の圧力差によって、流体は、回転体を変位させるための力を、回転体に負荷する。
【０００７】
上記の電動ポンプでは、負荷部は、電動ポンプの作動時に、流体の圧力差による回転体の変位を低減するための力を、回転体に常時負荷する。この構成によれば、流体経路内の流体の圧力差によって、回転体が変位することを低減することができる。これにより、回転体とケーシングとの接触が抑制され、回転体とケーシングとの接触によるポンプ効率の低下が抑制される。
【図面の簡単な説明】
【０００８】
【図１】第１実施例の電動ポンプの概略縦断面図を示す。
【図２】図１のII-II断面の断面図を示す。
【図３】ステータを図１の上方から見た図を示す。
【図４】第２実施例のステータの縦断面図を示す。
【図５】第３実施例のコアを説明するための図を示す。
【図６】第４実施例のコアを説明するための図を示す。
【図７】第５実施例のコアを説明するための図を示す。
【図８】図７のVIII-VIII断面の断面図を示す。
【図９】第６実施例の電動ポンプの概略縦断面図を示す。
【図１０】第７実施例の電動ポンプの概略縦断面図を示す。
【図１１】第８実施例の電動ポンプの概略縦断面図を示す。
【図１２】第９実施例の電動ポンプにおける図１のII-II断面の断面図を示す。
【図１３】第１０実施例の電動ポンプの概略縦断面図を示す。
【図１４】第１１実施例の永久磁石の構成を示す図１のXIV部分の拡大図を示す。
【図１５】変形例のコアの構成を示す。
【発明を実施するための形態】
【０００９】
最初に、以下に説明する実施例の特徴を列記する。なお、ここに列記する特徴は、何れも独立して有効なものである。
【００１０】
（特徴１）負荷部は、第１の構成と第２の構成とのうちの少なくとも一方の構成を備えていてもよい。第１の構成は、ロータのインペラ側の端部に負荷される磁力の合力が、低圧側から高圧側に向かう構成であってもよい。第２の構成は、ロータのインペラと反対側の端部に負荷される磁力の合力が、高圧側から低圧側に向かう構成であってもよい。
【００１１】
電動ポンプの作動時には、流体経路内の圧力差による力は、回転体のうちのインペラに強く作用する。この結果、流体の圧力差によって、回転体には、インペラがロータに対して高圧側から低圧側に向けて移動する方向に回転するような力が負荷される。上記の構成によれば、第１の構成と第２の構成との少なくとも一方の構成によって、回転体の変位（即ち回転）を低減するための力を、回転体に適切に負荷することができる。
【００１２】
（特徴２）負荷部は、ステータとロータとを含んでいてもよい。第１の構成は、高圧側におけるロータのインペラ側の端部に沿って伸びるステータの面積が、低圧側におけるロータのインペラ側の端部に沿って伸びるステータの面積よりも大きい構成を含んでいてもよい。第２の構成は、低圧側におけるロータのインペラと反対側の端部に沿って伸びるステータの面積が、高圧側におけるロータのインペラと反対側の端部に沿って伸びるステータの面積よりも大きい構成を含んでいてもよい。
【００１３】
この構成によれば、負荷部は、ステータとロータとを利用して、第１の構成と第２の構成とを実現することができる。第１の構成では、ロータのインペラ側の端部において、高圧側に向かう磁力を高くすることができる。第２の構成では、ロータのインペラと反対側の端部において、低圧側に向かう磁力を高くすることができる。この結果、回転体の変位を低減するための力を、回転体に適切に負荷することができる。また、回転体の変位を低減するための力を発生させるための専用の構成を設けなくて済む。
【００１４】
（特徴３）第１の構成は、ステータの高圧側に位置する高圧側ステータ部分のインペラ側の端部が、ステータの低圧側に位置する低圧側ステータ部分のインペラ側の端部よりも、回転軸方向に沿って、インペラ側に伸びている構成を含んでいてもよい。第２の構成は、低圧側ステータ部分のインペラと反対側の端部が、高圧側ステータ部分のインペラと反対側の端部よりも、回転軸方向に沿って、インペラと反対側に伸びている構成を含んでいてもよい。
【００１５】
電動ポンプの作動時には、ステータに電圧が印加されることによって、ロータに、ステータに向かう磁力が負荷される。上記の第１の構成によれば、ロータのインペラ側の端部において、低圧側から高圧側に向かう磁力を、回転体に負荷することができる。また、上記の第２の構成によれば、ロータのインペラと反対側の端部において、高圧側から低圧側に向かう磁力を、回転体に負荷することができる。これにより、回転体の変位を低減するための力を、回転体に適切に負荷することができる。
【００１６】
（特徴４）第１の構成は、ロータのインペラ側の端部において、回転軸に直交する断面を見たときに、ロータの外周面に沿って伸びる高圧側ステータ部分の長さが、ロータの外周面に沿って伸びる低圧側ステータ部分の長さよりも長い構成を含んでいてもよい。第２の構成は、ロータのインペラの反対側の端部において、回転軸に直交する断面で見たときに、ロータの外周面に沿って伸びる低圧側ステータ部分の長さが、ロータの外周面に沿って伸びる高圧側ステータ部分の長さよりも長い構成を含んでいてもよい。
【００１７】
（特徴５）負荷部は、ステータとロータとを含んでいてもよい。第１の構成は、ロータのインペラ側の端部において、ステータの高圧側に位置する高圧側ステータ部分とロータとの平均の隙間の大きさが、ステータの低圧側に位置する低圧側ステータ部分とロータとの平均の隙間の大きさよりも小さい構成を含んでいてもよい。第２の構成は、ロータのインペラと反対側の端部において、低圧側ステータ部分とロータとの平均の隙間の大きさが、高圧側ステータ部分とロータとの平均の隙間の大きさよりも小さい構成を含んでいてもよい。
【００１８】
特徴４及び５では、上記の第１の構成によれば、ロータのインペラ側の端部において、低圧側から高圧側に向かう磁力を、回転体に負荷することができる。また、上記の第２の構成によれば、ロータのインペラと反対側の端部において、高圧側から低圧側に向かう磁力を、回転体に負荷することができる。これにより、回転体の変位を低減するための力を、回転体に適切に負荷することができる。
【００１９】
（特徴６）負荷部は、第１の磁性体と第２の磁性体とを含んでいてもよい。第１の磁性体は、回転体に取り付けられ、回転体の周方向に一巡してもよい。第２の磁性体は、ケーシングのうち、第１の磁性体に対向する領域に取り付けられていてもよい。第２の磁性体は、高圧側に配置されており、第１の磁性体との間で、第１の磁性体を第２の磁性体側に引き寄せる方向の磁力を発生させる磁性体と、低圧側に配置されており、第１の磁性体との間で、第１の磁性体を第２の磁性体と反対側に押圧する方向の磁力を発生させる磁性体との少なくとも一方の磁性体を備えていてもよい。
【００２０】
この構成によれば、第１の磁性体と第２の磁性体とによって発生する磁力によって、回転体の変位を低減するための力を、回転体に適切に負荷することができる。
【００２１】
（特徴７）第１の磁性体は、インペラに取り付けられていてもよい。
【００２２】
この構成によれば、流体の圧力差による力が強く作用するインペラに対して、第１の磁性体と第２の磁性体とによって発生する磁力を直接的に負荷することができる。
【００２３】
（特徴８）第１の磁性体は、ロータのインペラと反対側の端面に取り付けられていてもよい。
【００２４】
この構成によれば、ロータとステータ以外に構成によって、回転体の変位を低減するための力を、回転体に適切に負荷することができる。
【００２５】
（特徴９）負荷部は、ステータを覆うと共に、ロータの周囲を囲む周壁を含んでいてもよい。流体経路は、ロータと周壁との隙間と連通していてもよい。負荷部は、ロータのインペラ側の端部において、低圧側のロータと周壁との隙間が、高圧側のロータと周壁との隙間より大きい構成と、ロータのインペラと反対側の端部において、高圧側のロータと周壁との隙間が、低圧側のロータと周壁との隙間より大きい構成と、の少なくとも一方の構成を備えていてもよい。
【００２６】
この構成では、流体は、ロータと周壁との隙間に流入し、ロータと周壁との隙間を流れる。流体がロータと周壁との隙間が比較的に小さい領域からロータと周壁との隙間が比較的に大きい領域に流入すると、流体の圧力は高くなる。上記の前者の構成によれば、ロータと周壁との隙間に存在する流体の圧力によって、ロータのインペラ側の端部において、低圧側から高圧側に向かう力が、回転体に負荷される。また、上記の後者の構成によれば、ロータと周壁との隙間に存在する流体の圧力によって、ロータのインペラと反対側の端部において、高圧側から低圧側に向かう力が、回転体に負荷される。この結果、回転体の変位を低減するための力を、回転体に適切に負荷することができる。
【００２７】
（特徴１０）負荷部は、ロータのインペラと反対側の端面に対向する対向壁を含んでいてもよい。流体経路は、ロータと対向壁との隙間と連通していてもよい。負荷部は、低圧側のロータのインペラと反対側の端面と対向壁との隙間は、高圧側のロータのインペラと反対側の端面と対向壁との隙間よりも大きい構成を備えていてもよい。
【００２８】
この構成では、流体は、ロータと対向壁との隙間に流入し、ロータと対向壁との隙間を流れる。流体がロータと対向壁との隙間が比較的に小さい領域からロータと対向壁との隙間が比較的に大きい領域に流入すると、流体の圧力は高くなる。上記の構成によれば、ロータと対向壁との隙間に存在する流体の圧力によって、回転体の変位を低減するための力を、回転体に適切に負荷することができる。
【実施例】
【００２９】
（第１実施例）
（電動ポンプ１０の構成）
電動ポンプ１０は、自動車のエンジンルーム内に設置され、エンジンやインバータ等を冷却する冷却水を循環するために用いられる。図１に示すように、電動ポンプ１０は、ポンプ部２０とモータ部４０とを備える。電動ポンプ１０の外周は、ケーシング１２で構成されている。ケーシング１２は、上部ケーシング２８と下部ケーシング４６とを備える。
【００３０】
（ポンプ部２０の構成）
ポンプ部２０は、上部ケーシング２８内に設けられている。ポンプ部２０は、上部ケーシング２８によって、吸入口２２と吐出口２３（図２参照）と冷却水経路２４とが形成されている。また、ポンプ部２０は、後述する回転体６０のインペラ２６を備える。インペラ２６は、上部ケーシング２８に収容されている。図２に示すように、インペラ２６は、図１の上方から見て円形状を有する。電動ポンプ１０に電力が供給されると、インペラ２６は、回転方向Ｒに回転する。インペラ２６の上面には、一定の間隔で複数枚の羽根が形成されている。インペラ２６の外周面と上部ケーシング２８の内周面との間に、冷却水経路２４が形成されている。
【００３１】
冷却水経路２４は、インペラ２６の外周（即ち回転方向Ｒ）に沿って形成されている。ＸＹ平面に平行な断面で見たときに、上部ケーシング２８の内周面は、回転方向Ｒに進むに従って、インペラ２６の外周から徐々に離間している。このため、冷却水経路２４の経路面積は、回転方向Ｒに従って、徐々に大きくなる。冷却水経路２４の経路面積が最大の位置には、吐出口２３が接続されている。吐出口２３は、冷却水経路２４の接線方向に伸びている。冷却水経路２４は、インペラ２６の周方向を一巡しており、冷却水経路２４の経路面積が最大の位置は、経路面積が最小の冷却水経路２４が接続されている。
【００３２】
図１に示すように、冷却水経路２４には、さらに、吸入口２２が接続されている。吸入口２２は、ポンプ部２０の上端に形成されている。吸入口２２は、回転体６０の回転軸（以下では単に「回転軸」と呼ぶ）が伸びる方向に伸びている。
【００３３】
（モータ部４０の構成）
モータ部４０は、ポンプ部２０の下方に配置されている。モータ部４０は、下部ケーシング４６に形成されている。モータ部４０は、ブラシレスモータを構成する。モータ部４０は、シャフト１６と、回転体６０のロータ４２と、ステータ４４と、を備える。シャフト１６の下端は、下部ケーシング４６に固定されている。シャフト１６は、ケーシング１２内を上下方向に伸びており、その先端はポンプ部２０に達している。シャフト１６には、回転体６０が回転可能に取り付けられている。回転体６０は、インペラ２６とロータ４２とを備える。ロータ４２は、インペラ２６の下方に間隔を空けて配置されている。ロータ４２は、インペラ２６と、回転体６０の回転軸方向（即ちロータ４２の回転軸方向（以下では「Ｚ軸方向」と呼ぶ））に並んで配置されている。ロータ４２とインペラ２６とは、シャフト１６の軸心を中心に回転する。ロータ４２は、下部ケーシング４６に収容されている。ロータ４２は、円筒形状を有する。ロータ４２は、複数個の永久磁石５２を備える。複数個の永久磁石５２は、周方向に複数の磁極を有するように配置されている。インペラ２６とロータ４２とは一体に構成されている。このため、ロータ４２が回転すると、インペラ２６も回転する。
【００３４】
モータ部４０の下方には、ステータ４４への給電制御を行う制御回路１８が配置されている。制御回路１８は、端子１４を介して、図示しない外部電源（例えば、車両に搭載されているバッテリ）に接続されている。制御回路１８は、外部電源から供給される電力をモータ部４０に供給する。
【００３５】
（ステータ４４の構成）
ステータ４４は、ロータ４２の外周側に配置されている。なお、図１では、ステータ４４の縦断面が示されているが、図面の見易さのため、平行斜線が省略されている。ステータ４４は、下部ケーシング４６の内部に収容されている。ステータ４４は、２個のコア４４ａ，４４ｂを備える。２個のコア４４ａ，４４ｂは、下部ケーシング４６を構成する樹脂層によって覆われている。下部ケーシング４６は、ロータ４２の外周面４２ａに対向しており、ロータ４２の周囲を囲む周壁４６ａと、ロータ４２のインペラ２６と反対側の端面４２ｂに対向する対向壁４６ｂと、を備える。ロータ４２は、周壁４６ａと対向壁４６ｂと隙間を空けて配置されている。ロータ４２と周壁４６ａとの隙間及びロータ４２と対向壁４６ｂとの隙間は、ポンプ部２０（即ち冷却水経路２４）と連通している。
【００３６】
２個のコア４４ａ，４４ｂのそれぞれは、複数個のコアプレート４８がＺ軸方向に積層されることによって構成されている。但し、冷却水経路２４の経路面積が比較的に大きい側（即ち図１の左側）に位置するコア４４ｂが備えるコアプレート４８の個数は、冷却水経路２４の経路面積が比較的に小さい側（即ち図１の右側）に位置するコア４４ａが備えるコアプレート４８の個数よりも多い。即ち、コア４４ｂのＺ軸方向の長さは、コア４４ａのＺ軸方向の長さよりも長い。詳細には、Ｚ軸方向において、コア４４ｂのポンプ部２０（即ちインペラ２６）と反対側の端の位置は、コア４４ａのインペラ２６と反対側の端と同一位置に位置する一方、コア４４ｂのインペラ２６側の端の位置は、コア４４ａのインペラ２６側の端よりも、インペラ２６に近い位置に位置する。換言すると、コア４４ａのインペラ２６側の端部は、コア４４ｂのインペラ２６側の端部よりも、Ｚ軸方向に沿って、インペラ２６側に伸びている。なお、Ｚ軸方向において、コア４４ｂのインペラ２６側の端は、ロータ４２のインペラ２６側の端と略同一の位置に位置する。
【００３７】
図３に示すように、コア４４ａは、Ｙ方向に並ぶ３個のティース７０を備える。各ティース７０には、樹脂製のボビンを介してコイル５０が巻回されている。コア４４ｂの構成は、コアプレート４８の枚数以外、コア４４ａと同様である。
【００３８】
（電動ポンプ１０の動作）
次に、電動ポンプ１０の動作について説明する。外部電源から端子１４を介して、電動ポンプ１０に電力が供給されると、制御回路１８は、６個のティース７０のそれぞれに巻回されているコイル５０に、予め決められた順序で電圧を印加する。この結果、６個のティース７０のうち、シャフト１６を挟んで対向する２個のティースに、同じ相（即ちＵ，Ｖ，Ｗ相のいずれか）の電圧が印加される。即ち、モータ部４０は、三相交流モータである。
【００３９】
コイル５０に電圧が印加されると、当該コイル５０が巻回されているティース７０は磁化される。ティース７０が磁化されると、ロータ４２の永久磁石５２は、磁化されているティース７０に引き寄せられる。これにより、回転体６０は、シャフト１６回りに回転する。冷却水は、インペラ２６の回転によって、吸入口２２からポンプ部２０内に吸入され、冷却水経路２４に流入する。図２に示すように、冷却水経路２４内の冷却水は、インペラ２６の回転によって昇圧されながら、冷却水経路２４内を回転方向Ｒに流れ、吐出口２３から冷却水経路２４外へ吐出される。なお、「電動ポンプ１０の作動時」とは、コイル線５０に電力が供給されており、回転体６０の回転によって、冷却水経路２４外に冷却水が吐出されている時を意味する。なお、「電動ポンプ１０の作動時」とは、単に、コイル線５０に電力が供給されている間の全期間を意味するものではない。
【００４０】
この結果、電動ポンプ１０の作動時には、冷却水経路２４内において、下流側の冷却水の圧力は、上流側の冷却水の圧力よりも高くなり、冷却水に圧力差が生じる。図２に示すように、具体的には、冷却水経路２４を回転方向Ｒに従って、冷却水の圧力は高くなり、高圧領域ＨＰにおける冷却水の圧力は、低圧領域ＬＰにおける冷却水の圧力よりも相当に高い。高圧領域ＨＰの冷却水の圧力と低圧領域ＬＰの冷却水の圧力との圧力差によって、インペラ２６には、高圧領域ＨＰから低圧領域ＬＰに向かう力（以下では単に「圧力差による力」と呼ぶ）が負荷される。
【００４１】
回転体６０には、図１の上端付近に圧力差による力が負荷される。即ち、回転体６０には、回転体６０のＺ軸方向の中間位置を通過する軸線を中心に、インペラ２６がロータ４２に対して高圧領域ＨＰから低圧領域ＬＰに向けて移動する方向（図１において時計回り）に回転するための力が負荷される。
【００４２】
図１に示すように、電動ポンプ１０では、冷却水経路２４の経路面積が比較的に大きい側、即ち、高圧領域ＨＰ側に位置するコア４４ｂは、冷却水経路２４の経路面積が比較的に小さい側、即ち、低圧領域ＬＰ側に位置するコア４４ａよりも、インペラ２６側に伸びている。このため、電動ポンプ１０の作動時にティース７０が磁化されると、ロータ４２のインペラ２６側の端部では、高圧領域ＨＰ側に向かう磁力が、低圧領域ＬＰ側に向かう磁力よりも大きくなる。この結果、ロータ４２のインペラ２６側の端部に負荷される磁力の合力は、低圧領域ＬＰ側から高圧領域ＨＰ側に向かう。この構成によれば、回転体６０の変位（即ち冷却水の圧力差による回転）を低減するための力を、回転体６０に適切に負荷することができる。また、電動ポンプ１０の作動時には、コイル５０に電圧が供給されているため、上記の磁力の合力は、電動ポンプ１０の作動時に、回転体６０に常時負荷されている。この構成によれば、冷却水経路２４内の冷却水の圧力差によって、回転体６０が変位することを低減することができる。これにより、回転体６０とケーシング１２との接触が抑制され、電動ポンプ１０のポンプ効率の低下が抑制される。なお、上記の磁力の合力は、電動ポンプ１０の作動時に、回転体６０に常時負荷されているため、電動ポンプ１０の作動時に、回転体６０に負荷される力が変化して、回転体６０の姿勢が不安定になることを抑制することができる。
【００４３】
また、上記の磁力の合力は、ステータ４４とロータ４２とによって生じている。この構成によれば、回転体６０の変位を低減するための力を発生させるための専用の構成を設けなくて済む。なお、ロータ４２とステータ４４とが「負荷部」の一例である。
【００４４】
（第２実施例）
図４を参照して、第１実施例と異なる点について説明する。なお、図４では、回転体６０は、外形のみが示されているが、実際には第１実施例と同様の構成を有する。ステータ１４４は、２個のコア１４４ａ，１４４ｂを備える。２個のコア１４４ａ，１４４ｂは、同一の構成を有する一方、Ｚ軸方向の位置が異なる。詳細には、高圧領域ＨＰ側（図４の左側）に位置するコア１４４ｂは、低圧領域ＬＰ側（図４の右側）に位置するコア１４４ａよりもインペラ２６側に位置している。言い換えると、高圧領域ＨＰ側に位置するコア１４４ｂは、低圧領域ＬＰ側に位置するコア１４４ａよりも、Ｚ軸方向に沿って、インペラ２６側に伸びている一方、低圧領域ＬＰ側に位置するコア１４４ａは、高圧領域ＨＰ側に位置するコア１４４ｂよりも、Ｚ軸方向に沿って、インペラ２６と反対側に伸びている。
【００４５】
この構成によれば、第１実施例と同様の効果を奏することができる。さらに、低圧領域ＬＰ側に位置するコア１４４ａは、高圧領域ＨＰ側に位置するコア１４４ｂよりも、インペラ２６と反対側に伸びている。このため、電動ポンプ１０の作動時にコア１４４ａ，１４４ｂのティースが磁化されると、ロータ４２のインペラ２６と反対側の端部において、低圧領域ＬＰ側に向かう磁力は、高圧領域ＨＰ側に向かう磁力よりも大きくなる。この結果、ロータ４２のインペラ２６と反対側の端部に負荷される磁力の合力は、高圧領域ＨＰ側から低圧領域ＬＰ側に向かう。この構成によれば、回転体６０の変位（即ち冷却水の圧力差による回転）を低減するための力、即ち、圧力差による力による回転体６０のモーメントを低減する力を、回転体６０に適切に負荷することができる。この構成によれば、冷却水経路２４内の冷却水の圧力差によって、回転体６０が変位することを、さらに低減することができる。なお、ロータ４２とステータ４４とが「負荷部」の一例である。
【００４６】
なお、変形例では、コア１４４ａとコア１４４ｂとのインペラ２６側の端部は、Ｚ軸方向において、同一の位置であってもよい。一方、コア１４４ａのインペラ２６と反対側の端部は、コア１４４ｂのインペラ２６と反対側の端部よりも、Ｚ軸方向に沿って、インペラ２６と反対側に伸びていてもよい。この構成によれば、ロータ４２のインペラ２６と反対側の端部に負荷される磁力の合力は、高圧領域ＨＰ側から低圧領域ＬＰ側に向かうため、回転体６０に適切に負荷することができる。
【００４７】
（第３実施例）
本実施例の電動ポンプ１０は、第１実施例の電動ポンプ１０と比較して、２個のコア２４４ａ，２４４ｂの構成が、２個のコア４４ａ，４４ｂの構成と異なる。その他の構成は、第１実施例の電動ポンプ１０と同様であるため、説明を省略する。２個のコア２４４ａ，２４４ｂは、複数個のコアプレート２４８がＺ軸方向に積層されることによって構成されている。２個のコア２４４ａ，２４４ｂは、同数のコアプレート２４８を備える。即ち、２個のコア２４４ａ，２４４ｂのＺ軸方向の長さは同一である。
【００４８】
複数個のコアプレート２４８は、第１のコアプレート２４８ａと第２のコアプレート２４８ｂとを備える。第１のコアプレート２４８ａは、第２のコアプレート２４８ｂと比較して、３個のティース２７０ａ〜ｃを構成する部分のうち、ロータ４２の外周面４２ａに沿って伸びる部分が短い。
【００４９】
低圧領域ＬＰ側（図５の右側）のコア２４４ａでは、複数個のコアプレート２４８のうち、インペラ２６側の端部に位置する一部のコアプレート２４８（例えば、コアプレート２４８のＺ軸方向の長さのうち、４分の１の長さに相当するコアプレート２４８）は、第１のコアプレート２４８ａであり、その他は、第２のコアプレート２４８ｂである。一方、高圧領域ＨＰ側（図５の左側）のコア２４４ｂでは、複数個のコアプレート２４８のうち、インペラ２６と反対側に位置する一部のコアプレート２４８（例えば、コアプレート２４８のＺ軸方向の長さのうち、４分の１の長さに相当するコアプレート２４８）は、第１のコアプレート２４８ａであり、その他は、第２のコアプレート２４８ｂである。
【００５０】
この構成では、ロータ４２のインペラ２６側の端部では、ＸＹ平面に平行な断面（即ちＺ軸方向に直交する断面）で見たときに、外周面４２ａに沿って伸びるコア２４４ｂ（第２のコアプレート２４８ｂで構成される部分）の長さは、外周面４２ａに沿って伸びるコア２４４ａ（第１のコアプレート２４８ａで構成される部分）の長さよりも長い。電動ポンプ１０の作動時にコア２４４ａ，２４４ｂのティースが磁化されると、ロータ４２のインペラ２６側の端部において、コア２４４ｂとロータ４２との間のコア２４４ｂ側、即ち高圧領域ＨＰ側に向かう磁力は、コア２４４ａとロータ４２との間のコア４４ｂ側、即ち低圧領域ＬＰ側に向かう磁力よりも大きい。即ち、ロータ４２のインペラ２６側の端部に負荷される磁力の合力は、低圧領域ＬＰ側から高圧領域ＨＰ側に向かう。この構成によれば、回転体６０の変位（即ち冷却水の圧力差による回転）を低減するための力を、回転体６０に適切に負荷することができる。また、電動ポンプ１０の作動時には、コイル５０に電圧が印加されているため、上記の磁力の合力は、電動ポンプ１０の作動時に、回転体６０に常時負荷されている。この構成によれば、冷却水経路２４内の冷却水の圧力差によって、回転体６０が変位することを低減することができる。これにより、回転体６０とケーシング１２との接触が抑制され、電動ポンプ１０のポンプ効率の低下が抑制される。
【００５１】
ロータ４２のインペラ２６と反対側の端部では、ＸＹ平面に平行な断面で見たときに、外周面４２ａに沿って伸びるコア２４４ａ（第２のコアプレート２４８ｂで構成される部分）の長さは、外周面４２ａに沿って伸びるコア２４４ｂ（第１のコアプレート２４８ａで構成される部分）の長さよりも長い。この構成では、電動ポンプ１０の作動時に、ロータ４２のインペラ２６と反対側の端部において、コア２４４ａとロータ４２との間のコア２４４ａ側、即ち低圧領域ＬＰ側に向かう磁力は、コア２４４ｂとロータ４２との間のコア２４４ｂ側、即ち高圧領域ＨＰ側に向かう磁力よりも大きい。即ち、ロータ４２のインペラ２６と反対側の端部に負荷される磁力の合力は、高圧領域ＨＰ側から低圧領域ＬＰ側に向かう。この構成によれば、回転体６０の変位（即ち冷却水の圧力差による回転）を低減するための力、即ち、圧力差による力による回転体６０のモーメントを低減する力を、回転体６０に適切に負荷することができる。この構成によれば、冷却水経路２４内の冷却水の圧力差によって、回転体６０が変位することを、さらに低減することができる。
【００５２】
なお、変形例では、２個のコア２４４ａ，２４４ｂのうち、どちらのコアは、第２のコアプレート２４８ｂのみを備えていてもよい。
【００５３】
（第４実施例）
本実施例の電動ポンプ１０は、第３実施例の電動ポンプ１０と比較して、２個のコア３４４ａ，３４４ｂに設けられている第１のコアプレート３４８ａの形状が、第１のコアプレート２４８ａの形状と異なる。なお、第２のコアプレート３４８ｂの形状は、第２のコアプレート２４８ｂの形状と同一である。
【００５４】
第２のコアプレート３４８ｂでは、３個のティース３７０ａ〜ｃを構成する部分は、ロータ４２の外周に沿って伸びる部分を有している。一方、第１のコアプレート３４８ａでは、３個のティース３７０ａ〜ｃを構成する部分のうち、ロータ４２側の端部は、ロータ４２の外周に沿って伸びておらず、第２のコアプレート３４８ｂと比較して、ロータ４２の外周から離間している。
【００５５】
この構成では、ロータ４２のインペラ２６側の端部では、ＸＹ平面に平行な断面で見たときに、外周面４２ａに沿って伸びるコア３４４ｂ（第２のコアプレート３４８ｂで構成される部分）の長さは、外周面４２ａに沿って伸びるコア３４４ａ（第１のコアプレート３４８ａで構成される部分）の長さよりも長い。また、ロータ４２のインペラ２６と反対側の端部では、ＸＹ平面に平行な断面で見たときに、外周面４２ａに沿って伸びるコア３４４ａ（第２のコアプレート３４８ｂで構成される部分）の長さは、外周面４２ａに沿って伸びるコア３４４ｂ（第１のコアプレート３４８ａで構成される部分）の長さよりも長い。この構成によれば、第４実施例の電動ポンプ１０は、第３実施例の電動ポンプ１０と同様の効果を奏することができる。なお、変形例では、２個のコア３４４ａ，３４４ｂのうち、どちらのコアは、第２のコアプレート３４８ｂのみを備えていてもよい。
【００５６】
（第５実施例）
図７に示すように、本実施例の電動ポンプ１０は、第３実施例の電動ポンプ１０と比較して、２個のコア４４４ａ，４４４ｂに設けられている第１のコアプレート４４８ａの形状が、第１のコアプレート２４８ａの形状と異なる。なお、第２のコアプレート４４８ｂの形状は、第２のコアプレート２４８ｂの形状と同一である。
【００５７】
第１のコアプレート４４８ａと第２のコアプレート４４８ｂとのそれぞれは、３個のティース４７０ａ〜ｃを構成する部分に、外周面４２ａに沿って伸びる部分を有している。第１のコアプレート４４８ａの外周面４２ａに沿って伸びる部分は、第２のコアプレート４４８ｂの外周面４２ａに沿って伸びる部分よりも、外周面４２ａから離間している。
【００５８】
この構成では、図８に示すように、ロータ４２のインペラ２６側の端部では、コア４４４ｂ（第２のコアプレート４４８ｂで構成される部分）とロータ４２との隙間は、コア４４４ａ（第１のコアプレート４４８ａで構成される部分）とロータ４２との隙間よりも小さい。この構成では、電動ポンプ１０の作動時にコア４４４ａ，４４４ｂのティースが磁化されると、ロータ４２のインペラ２６側の端部において、コア４４４ｂとロータ４２との間のコア４４４ｂ側、即ち高圧領域ＨＰ側に向かう磁力は、コア２４４ａとロータ４２との間のコア４４４ｂ側、即ち低圧領域ＬＰ側に向かう磁力よりも大きい。即ち、ロータ４２のインペラ２６側の端部に負荷される磁力の合力は、低圧領域ＬＰ側から高圧領域ＨＰ側に向かう。
【００５９】
また、ロータ４２のインペラ２６と反対側の端部では、コア４４４ａ（第２のコアプレート４４８ｂで構成される部分）とロータ４２との隙間は、コア４４４ｂ（第１のコアプレート４４８ａで構成される部分）とロータ４２との隙間よりも小さい。このため、電動ポンプ１０の作動時にコア４４４ａ，４４４ｂのティースが磁化されると、ロータ４２のインペラ２６と反対側の端部において、コア４４４ａとロータ４２との間のコア４４４ａ側、即ち低圧領域ＬＰ側に向かう磁力は、コア４４４ｂとロータ４２との間のコア４４４ｂ側、即ち高圧領域ＨＰ側に向かう磁力よりも大きい。即ち、ロータ４２のインペラ２６と反対側の端部に負荷される磁力の合力は、高圧領域ＨＰ側から低圧領域ＬＰ側に向かう。これらの構成によれば、第５実施例の電動ポンプ１０は、第３実施例の電動ポンプ１０と同様の効果を奏することができる。
【００６０】
上記の実施例では、第１のコアプレート４４８ａとロータ４２との隙間は、一定である。しかしながら、第１のコアプレート４４８ａとロータ４２との隙間は一定でなくてもよい。この場合、第１のコアプレート４４８ａとロータ４２との平均の隙間の大きさは、第２のコアプレート４４８ｂとロータ４２との平均の隙間の大きさよりも大きくする。なお、別の変形例では、２個のコア４４４ａ，４４４ｂのうち、どちらのコアは、第２のコアプレートのみを備えていてもよい。
【００６１】
（第６実施例）
図９を参照して、第１実施例の電動ポンプ１０との相違点を説明する。本実施例の電動ポンプ１０では、周壁４６ａに、２個の昇圧凹部５００，５０２が形成されている。昇圧凹部５００は、Ｚ軸方向に沿って、周壁４６ａのインペラ２６側の端部からロータ４２のインペラ２６側の端部を通過して、ロータ４２の中間位置まで伸びている。昇圧凹部５００は、低圧領域ＬＰ側において、外周面４２ｂに沿って部分円管状に形成されている。周壁４６ａは、昇圧凹部５００が形成されている部分で、周壁４６ａの他の部分よりも、ロータ４２から離間している。即ち、ロータ４２のインペラ２６側の端部では、低圧領域ＬＰ側におけるロータ４２と周壁４６ａとの隙間は、高圧領域ＨＰ側におけるロータ４２と周壁４６ａとの隙間よりも大きい。
【００６２】
昇圧凹部５０２は、Ｚ軸方向に沿って、周壁４６ａのインペラ２６と反対側の端部からロータ４２のインペラ２６と反対側の端部を通過して、ロータ４２の中間位置まで伸びている。なお、２個の昇圧凹部５００，５０２は、Ｚ軸方向において、一部重複している。昇圧凹部５０２は、高圧領域ＨＰ側において、ロータ４２の外周に沿って部分円管状に形成されている。周壁４６ａは、昇圧凹部５０２が形成されている部分で、周壁４６ａの他の部分よりも、ロータ４２から離間している。即ち、ロータ４２のインペラ２６と反対側の端部では、高圧領域ＨＰ側におけるロータ４２と周壁４６ａとの隙間は、低圧領域ＬＰ側におけるロータ４２と周壁４６ａとの隙間よりも大きい。
【００６３】
電動ポンプ１０の作動時に、冷却水経路２４内の冷却水の一部は、ロータ４２と周壁４６ａとの隙間に流入する。ロータ４２と周壁４６ａとの隙間に流入した冷却水は、ロータ４２の回転に伴って、ロータ４２と周壁４６ａとの隙間を、回転方向Ｒに沿って流れる。昇圧凹部５００，５０２が形成されている部分では、ロータ４２と周壁４６ａとの隙間が、他の部分よりも大きい。即ち、ロータ４２と周壁４６ａとの隙間を流れる冷却水の流路面積は、昇圧凹部５００，５０２が形成されている部分において、他の部分と比較して大きい。この結果、冷却水が昇圧凹部５００，５０２が形成されている部分に流入すると、冷却水の圧力は、ロータ４２と周壁４６ａとの隙間の他の部分の圧力よりも高くなる。
【００６４】
この構成によれば、ロータ４２のインペラ２６側の端部には、ロータ４２と周壁４６ａとの隙間を流れる冷却水によって、低圧領域ＬＰ側から高圧領域ＨＰ側に向かう力が負荷される。一方、ロータ４２のインペラ２６の反対側の端部には、ロータ４２と周壁４６ａとの隙間を流れる冷却水によって、高圧領域ＨＰ側から低圧領域ＬＰ側に向かう力が負荷される。この構成によれば、冷却水経路２４内の冷却水の圧力差によって、回転体６０が変位することを低減することができる。これにより、回転体６０とケーシング１２との接触が抑制され、電動ポンプ１０のポンプ効率の低下が抑制される。
【００６５】
なお、変形例では、昇圧凹部５００，５０２のうちの一方のみが形成されていてもよい。また、昇圧凹部５００，５０２の形状は、本実施例の形状に限定されない。例えば、昇圧凹部５００は、周壁４６ａが、外周面４２ａから徐々に離間するように、形成されていてもよい。一般的には、昇圧凹部５００，５０２は、周壁４６ａが、外周面４２ａから離間するように形成されていればよい。
【００６６】
（第７実施例）
図１０を参照して、第１実施例の電動ポンプ１０との相違点を説明する。本実施例の電動ポンプ１０では、対向壁４６ｂの形状が、第１実施例の電動ポンプ１０と異なる。対向壁４６ｂには、低圧領域ＬＰ側に、昇圧凹部６００が形成されている。昇圧凹部６００は、低圧領域ＬＰ側において、回転方向Ｒに沿って円弧状に伸びている。対向壁４６ｂは、昇圧凹部６００が形成されている部分で、対向壁４６ｂの他の部分よりも、端面４２ｂから離間している。このため、低圧領域ＬＰ側における端面４２ｂと対向壁４６ｂとの隙間は、高圧領域ＨＰ側における端面４２ｂと対向壁４６ｂとの隙間よりも大きい。
【００６７】
電動ポンプ１０の作動時に、冷却水経路２４内の冷却水の一部は、端面４２ｂと対向壁４６ｂとの隙間に流入する。端面４２ｂと対向壁４６ｂとの隙間に流入した冷却水は、ロータ４２の回転に伴って、端面４２ｂと対向壁４６ｂとの隙間を、回転方向Ｒに沿って流れる。昇圧凹部６００が形成されている部分では、端面４２ｂと対向壁４６ｂとの隙間が、他の部分よりも大きい。このため、端面４２ｂと対向壁４６ｂとの隙間を流れる冷却水の流路面積は、昇圧凹部６００が形成されている部分において、他の部分と比較して大きい。この結果、冷却水が昇圧凹部６００が形成されている部分に流入すると、冷却水の圧力は、端面４２ｂと対向壁４６ｂとの隙間の他の部分の圧力よりも高くなる。
【００６８】
この構成によれば、ロータ４２の端面４２ｂには、昇圧凹部６００が形成されている部分を流れる冷却水によって、インペラ２６に向かう力が負荷される。この構成によれば、冷却水経路２４内の冷却水の圧力差によって、回転体６０が変位することを低減することができる。これにより、回転体６０とケーシング１２との接触が抑制され、電動ポンプ１０のポンプ効率の低下が抑制される。
【００６９】
なお、昇圧凹部６００の形状は、本実施例の形状に限定されない。例えば、昇圧凹部６００は、対向壁４６ｂが、端面４２ｂから徐々に離間するように、形成されていてもよい。一般的には、昇圧凹部６００は、対向壁４６ｂが、端面４２ｂから離間するように形成されていればよい。
【００７０】
（第８実施例）
図１１を参照して、第１実施例の電動ポンプ１０との相違点を説明する。図１１では、説明のため、回転体６０が消去されている。本実施例の電動ポンプ１０では、周壁４６ａに、２個の昇圧溝７００が形成されている。各昇圧溝７００は、低圧領域ＬＰ側におけるロータ４２のインペラ２６側の端部に対向する位置から、高圧領域ＨＰ側におけるロータ４２のインペラ２６と反対側の端部に対向する位置まで湾曲して伸びている。２本の昇圧溝７００は、回転軸を通過するＸＺ平面に関して対称に形成されている。
【００７１】
この構成では、ロータ４２と対向壁４６ａとの隙間を流れる冷却水は、昇圧溝７００によって昇圧される。そして、昇圧された冷却水は、昇圧溝７００内を通過して、高圧領域ＨＰ側において、ロータ４２のインペラ２６と反対側の端部に至る。さらに、昇圧された冷却水は、昇圧溝７００内を通過して、低圧領域ＬＰ側において、ロータ４２のインペラ２６側の端部に至る。この構成によれば、ロータ４２には、昇圧溝７００が形成されている部分を流れる冷却水と他の部分を流れる冷却水との圧力差による力が負荷される。この構成によれば、冷却水経路２４内の冷却水の圧力差によって、回転体６０が変位することを低減することができる。これにより、回転体６０とケーシング１２との接触が抑制され、電動ポンプ１０のポンプ効率の低下が抑制される。
【００７２】
（第９実施例）
図１２を参照して、第１実施例の電動ポンプ１０との相違点を説明する。本実施例の電動ポンプ１０は、インペラ２６の外周面に、インペラ２６を一巡する永久磁石８０４が取り付けられている。永久磁石８０４の外側表面は、Ｎ極である。上部ケーシング２８の内部には、２個の永久磁石８００，８０２が配置されている。永久磁石８００は、高圧領域ＨＰ側に設けられている。永久磁石８００は、永久磁石８０４の外側表面と対向しており、その対向面は、Ｓ極である。永久磁石８０２は、低圧領域ＬＰ側に設けられている。永久磁石８０２は、永久磁石８０４の外側表面と対向しており、その対向面は、Ｎ極である。なお、永久磁石の磁極は、上記の構成に限られず、各永久磁石８００〜８０４の磁極が逆であってもよい。
【００７３】
永久磁石８００と永久磁石８０４とによって、インペラ２６には、低圧領域ＬＰから高圧領域ＨＰに向かう磁力が負荷される。同様に、永久磁石８０２と永久磁石８０４とによって、インペラ２６には、低圧領域ＬＰから高圧領域ＨＰに向かう磁力が負荷される。即ち、永久磁石８００〜８０４によって、低圧領域ＬＰから高圧領域ＨＰに向かう磁力が、電動ポンプ１０の作動時に、インペラ２６に常時負荷されている。この構成によれば、冷却水経路２４内の冷却水の圧力差によって、回転体６０が変位することを低減することができる。これにより、回転体６０とケーシング１２との接触が抑制され、電動ポンプ１０のポンプ効率の低下が抑制される。
【００７４】
変形例では、２個の永久磁石８００，８０２のうち、いずれかの一方の永久磁石のみを備えていてもよい。また、永久磁石８００のみが設けられる場合、インペラ２６は、永久磁石８０４に代えて、インペラ２６の外周を一巡する磁性体（例えば鉄製の部品等）を備えていてもよい。この構成では、永久磁石８００と磁性体とによって、インペラ２６には、低圧領域ＬＰから高圧領域ＨＰに向かう磁力が負荷される。
【００７５】
あるいは、永久磁石８００の代わりに磁性体が配置されていてもよい。この構成では、永久磁石８０４と磁性体とによって、インペラ２６には、低圧領域ＬＰから高圧領域ＨＰに向かう磁力が負荷される。
【００７６】
（第１０実施例）
図１３を参照して、第１実施例の電動ポンプ１０との相違点を説明する。本実施例の電動ポンプ１０は、ロータ４２は、端面４２ｂに、シャフト１６を一巡する永久磁石９０４を備える。永久磁石９０４の下側表面は、Ｎ極である。対向壁４６ｂには、２個の永久磁石９００，９０２が配置されている。永久磁石９００は、高圧領域ＨＰ側に設けられている。永久磁石９００は、永久磁石９０４の下側表面と対向しており、その対向面は、Ｓ極である。永久磁石９０２は、低圧領域ＬＰ側に設けられている。永久磁石９０２は、永久磁石９０４の下側表面と対向しており、その対向面は、Ｎ極である。
【００７７】
この構成によれば、第９実施例と同様に、永久磁石９００〜９０４の磁力によって、冷却水経路２４内の冷却水の圧力差により回転体６０が変位することを低減することができる。これにより、回転体６０とケーシング１２との接触が抑制され、電動ポンプ１０のポンプ効率の低下が抑制される。
【００７８】
変形例では、２個の永久磁石９００，９０２のうち、いずれかの一方の永久磁石のみを備えていてもよい。また、永久磁石９００のみが設けられる場合、ロータ４２は、永久磁石９０４に代えて、インペラ２６の外周を一巡する磁性体を備えていてもよい。この構成では、永久磁石９００と磁性体とによって、インペラ２６には、低圧領域ＬＰから高圧領域ＨＰに向かう磁力が負荷される。
【００７９】
あるいは、永久磁石９００の代わりに磁性体が配置されていてもよい。この構成では、永久磁石８０４と磁性体とによって、インペラ２６には、低圧領域ＬＰから高圧領域ＨＰに向かう磁力が負荷される。
【００８０】
（第１１実施例）
図１４を参照して、第１実施例の電動ポンプ１０との相違点を説明する。本実施例の電動ポンプ１０は、本実施例の電動ポンプ１０は、インペラ２６のロータ４２側の面の外縁に、インペラ２６を一巡する永久磁石１００４が取り付けられている。永久磁石１００４のロータ４２側表面は、Ｎ極である。下部ケーシング４６には、永久磁石１００２が配置されている。永久磁石１００２は、低圧領域ＬＰ側に設けられている。永久磁石１００２は、永久磁石１００４のロータ４２側表面と対向しており、その対向面は、Ｎ極である。なお、永久磁石の磁極は、上記の構成に限られず、各永久磁石１００２，１００４が逆の磁極であってもよい。
【００８１】
低圧領域ＬＰ側では、永久磁石１００２と永久磁石１００４とによって、インペラ２６のロータ４２側の面を、上方に押圧する磁力が負荷される。この構成によれば、冷却水経路２４内の冷却水の圧力差によって、回転体６０が変位することを低減することができる。これにより、回転体６０とケーシング１２との接触が抑制され、電動ポンプ１０のポンプ効率の低下が抑制される。
【００８２】
変形例では、下部ケーシング４６は、高圧領域ＨＰ側に設けられており、永久磁石１００４と対向する永久磁石を備えていてもよい。この場合、永久磁石１００４と対向する永久磁石の対向面の磁極は、永久磁石１００４のロータ４２側表面とは逆の磁極であってもよい。この場合、インペラ２６は、永久磁石１００４に代えて、インペラ２６の外周を一巡する磁性体（例えば鉄製の部品等）を備えていてもよい。あるいは、下部ケーシング４６の高圧領域ＨＰ側には、永久磁石の代わりに磁性体が配置されていてもよい。
【００８３】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００８４】
（変形例）
（１）電動ポンプ１０は、第１から第１０実施例で開示される複数個の構成のうち、２個以上の構成を備えていてもよい。例えば、電動ポンプ１０は、第２実施例で開示されている構成（即ち２個のコア１４４ａ，１４４ｂの構成）と、第３実施例の構成（即ち第１のコアプレート２４８ａと第２のコアプレート２４８ｂ）と、第６実施例の構成（即ち昇圧凹部５００，５０２）と、を、備えていてもよい。
【００８５】
（２）また、本明細書で開示される技術は、ステータ４４のコア４４ａ，４４ｂが一体で構成されている電動ポンプにも有用である。例えば、図１５に示されるように、ステータは、１個のコア１１４４を備えていてもよい。コア１１４４は、３個の第１のティース１１７０ａと３個の第２のティース１１７０ｂとを備えていてもよい。３個の第１のティース１１７０ａは、低圧領域ＬＰ側に配置されていてもよい。３個のティース１１７０ａの先端は、ロータ４２の外周面４２ａに対向していてもよい。各第１のティース１１７０ａでは、ロータ４２のインペラ２６側の端部に対向する部分は、ロータ４２の他の部分に対向する部分よりも、ロータ４２の外周面４２ａから離間していてもよい。３個の第２のティース１１７０ｂは、高圧領域ＨＰ側に配置されていてもよい。３個のティース１１７０ｂの先端は、ロータ４２の外周面４２ａに対向していてもよい。各第２のティース１１７０ｂでは、ロータ４２のインペラ２６と反対側の端部に対向する部分は、ロータ４２の他の部分に対向する部分よりも、ロータ４２の外周面４２ａから離間していてもよい。この構成によれば、上記の第５実施例と同様の効果を奏することができる。
【００８６】
（３）上記の各実施例では、コア４４ａ等は、複数個のコアプレート４８等が積層されることによって、構成されている。しかしながら、コア４４ａ等は、一体で構成されていてもよい。
【００８７】
（４）上記の第６〜第１１実施例では、電動ポンプ１０は、第１実施例と同様のステータ４４を備えるが、これに代えて、ロータ４２を挟んで左右対称に設けられている２個のコアを有するステータ４４を備えていてもよい。
【００８８】
（５）本明細書に開示された技術は、冷却水以外の流体（例えば液体燃料、温水等）のための電動ポンプにも用いることができる。
【００８９】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００９０】
１０：電動ポンプ
１２：ケーシング
２４：冷却水経路
２６：インペラ
４２：ロータ
４４：ステータ
４４ａ，４４ｂ：コア
４６：下部ケーシング
４８：コアプレート
６０：回転体
ＨＰ：高圧領域
ＬＰ：低圧領域
【図１】
2013247692.tif 000003
【図２】
2013247692.tif 000004
【図３】
2013247692.tif 000005
【図４】
2013247692.tif 000006
【図５】
2013247692.tif 000007
【図６】
2013247692.tif 000008
【図７】
2013247692.tif 000009
【図８】
2013247692.tif 000010
【図９】
2013247692.tif 000011
【図１０】
2013247692.tif 000012
【図１１】
2013247692.tif 000013
【図１２】
2013247692.tif 000014
【図１３】
2013247692.tif 000015
【図１４】
2013247692.tif 000016
【図１５】
2013247692.tif 000017